(57)【要約】  【課題】冷気の漏れを防止すると共に、庫内に漏れ出す発泡断熱材をなくして庫内外観を整えた冷蔵庫を提供する。  【解決手段】内箱３と外箱２との間に発泡断熱材４を充填してなり前面開口部を有する断熱箱体と、内箱３に取り付けられ断熱箱体内を複数の部屋に区画する仕切壁５とを備え、仕切壁５を内箱３に取り付けた状態において、内箱３における仕切壁５を取り付ける部分と仕切壁５との間に、内箱３と外箱２との間に充填された発泡断熱材４の一部が充填される第一の空間５ｂと、この第一の空間５ｂから漏れた発泡断熱材４を収容することにより庫内に発泡断熱材４が漏れるのを防止する第二の空間８ａ，８ｂとを形成したものであり、仕切壁５を内箱３に確実に固着でき、第一の空間５ｂから漏れ出した発泡断熱材４を第二の空間８ａ，８ｂで収容でき、庫内側まで漏れ出さない。【選択図】図３
2009115368.tif 000002
【特許請求の範囲】
【請求項１】
内箱と外箱との間に発泡断熱材を充填してなり前面開口部を有する断熱箱体と、前記内箱に取り付けられ前記断熱箱体内を複数の部屋に区画する仕切壁とを備え、前記仕切壁を前記内箱に取り付けた状態において、前記内箱における前記仕切壁を取り付ける部分と前記仕切壁との間に、前記内箱と前記外箱との間に充填された前記発泡断熱材の一部が充填される第一の空間と、前記第一の空間から漏れた前記発泡断熱材を収容することにより庫内に前記発泡断熱材が漏れるのを防止する第二の空間とを形成したことを特徴とする冷蔵庫。
【請求項２】
前記第二の空間は、前記仕切壁に設けたリブまたは凹形状で形成したことを特徴とする請求項１に記載の冷蔵庫。
【請求項３】
前記第二の空間は、前記内箱に設けたリブまたは凹形状で形成したことを特徴とする請求項１に記載の冷蔵庫。
【請求項４】
前記第二の空間を、前記第一の空間から漏れた前記発泡断熱材が庫内に漏れる方向に複数形成したことを特徴とする請求項１から３のいずれか一項に記載の冷蔵庫。
【請求項５】
前記仕切壁は、前記断熱箱体内を上下方向の複数の部屋に区画するものであり、前記第二の空間は、前記第一の空間の上下両方に設けたことを特徴とする請求項１から４のいずれか一項に記載の冷蔵庫。
【請求項６】
前記仕切壁は、分割したものを組み合わせて構成したことを特徴とする請求項１から５のいずれか一項に記載の冷蔵庫。
【請求項７】
前記第一の空間は、前記仕切壁内の略全空間に連通して構成し、前記発泡断熱材の一部を充填することを特徴とする請求項１から６のいずれか一項に記載の冷蔵庫。
【請求項８】
前記第一の空間は凸部を備え、前記凸部を前記第一の空間と接する内箱に設けられた開口部に挿入して配置したことを特徴とする請求項１から７のいずれか一項に記載の冷蔵庫。
【発明の詳細な説明】
【技術分野】
【０００１】
本発明は、断熱箱体の内部を複数の部屋に区画する仕切壁を備えた冷蔵庫の仕切壁構成に関するものである。
【背景技術】
【０００２】
この種の冷蔵庫は、断熱箱体内が例えば複数の仕切壁により複数の貯蔵室、すなわち冷蔵室、冷凍室及び野菜室などに仕切られている（例えば、特許文献１参照）。
【０００３】
上記従来の冷蔵庫の仕切壁構造を、図４を参照しながら説明する。図４は従来の冷蔵庫における仕切壁の右端部近傍を示す要部拡大断面図である。
【０００４】
図４において、前面開口部を有する断熱箱体１０１は、外箱１０２と内箱１０３との間に発泡断熱材１０４を充填してなり、断熱箱体１０１内に設けた仕切壁１０５により庫内を複数の貯蔵室に区画する。仕切壁１０５の内箱１０３と接する取り付け面には、内箱１０３の開口部１０６に対向して空間部１０７を備え、発泡断熱材１０４の一部を空間部１０７に流すことにより、仕切壁１０５を内箱１０３に固着している。
【０００５】
そして、内箱１０３における仕切壁１０５を取り付ける部分と仕切壁１０５との間において、仕切壁１０５と内箱１０３との隙間寸法は、流入される発泡断熱材１０４が漏れ出すことを防ぐため、基本的には取り付けに必要最小限の距離に抑えられて取り付けられている。
【特許文献１】特開２０００−１８００４０号公報
【発明の開示】
【発明が解決しようとする課題】
【０００６】
しかしながら、上記従来の構成では、内箱１０３における仕切壁１０５を取り付ける部分と仕切壁１０５との間に充填された発泡断熱材１０４が、２部品間の隙間を通って庫内側に漏れ出し、庫内の外観の見栄えの品位を損ねる可能性があった。発泡断熱材１０４が庫内に漏れ出さないためには、シール部材を用いて発泡断熱材１０４が庫内側まで漏れ出すのを防ぐ必要があり、シール部材の材料費、及び取り付け加工費等のコストの増大を招くという課題を有していた。
【０００７】
本発明は、上記従来の課題を解決するものであり、コストを抑制し、庫内の外観品位を確保した冷蔵庫を提供することを目的とする。
【課題を解決するための手段】
【０００８】
上記目的を達成するために、本発明の冷蔵庫は、内箱と外箱との間に発泡断熱材を充填してなり前面開口部を有する断熱箱体と、前記内箱に取り付けられ前記断熱箱体内を複数の部屋に区画する仕切壁とを備え、前記仕切壁を前記内箱に取り付けた状態において、前記内箱における前記仕切壁を取り付ける部分と前記仕切壁との間に、前記内箱と前記外箱との間に充填された前記発泡断熱材の一部が充填される第一の空間と、前記第一の空間から漏れた前記発泡断熱材を収容することにより庫内に前記発泡断熱材が漏れるのを防止する第二の空間とを形成したのである。
【０００９】
これにより、第一の空間に充填される発泡断熱材が第一の空間より漏れたとしても、漏れた発泡断熱材は第二の空間に収容されて庫内への漏れを防止することができる。
【発明の効果】
【００１０】
本発明の冷蔵庫は、簡素な構造で庫内への発泡断熱材の漏れを防止することができ、低コストで品質のよい冷蔵庫を提供することができる。
【発明を実施するための最良の形態】
【００１１】
請求項１に記載の発明は、内箱と外箱との間に発泡断熱材を充填してなり前面開口部を有する断熱箱体と、前記内箱に取り付けられ前記断熱箱体内を複数の部屋に区画する仕切壁とを備え、前記仕切壁を前記内箱に取り付けた状態において、前記内箱における前記仕切壁を取り付ける部分と前記仕切壁との間に、前記内箱と前記外箱との間に充填された前記発泡断熱材の一部が充填される第一の空間と、前記第一の空間から漏れた前記発泡断熱材を収容することにより庫内に前記発泡断熱材が漏れるのを防止する第二の空間とを形成したものであり、仕切壁と内箱との隙間に充填した発泡断熱材が、内箱における仕切壁を取り付ける部分と仕切壁との間の第一の空間から漏れ出そうとしても、第二の空間が漏れ出す発泡断熱材の量に対して十分な大きさの空間であれば、第一の空間から漏れ出した発泡断熱材を第二の空間で収容できるため、庫内側まで漏れ出すことを防ぐことができる。
【００１２】
請求項２に記載の発明は、請求項１に記載の発明において、前記第二の空間を、前記仕切壁に設けたリブまたは凹形状で形成したものであり、簡素な構造で第二の空間を形成することができ、低コスト化を図ることができる。
【００１３】
請求項３に記載の発明は、請求項１に記載の発明において、前記第二の空間を、前記内箱に設けたリブまたは凹形状で形成したものであり、簡素な構造で第二の空間を形成することができ、低コスト化を図ることができる。
【００１４】
請求項４に記載の発明は、請求項１から３のいずれか一項に記載の発明において、前記第二の空間を、前記第一の空間から漏れた前記発泡断熱材が庫内に漏れる方向に複数形成したものであり、第一の空間に充填した発泡断熱材が漏れ出した際に、漏れ出した発泡断熱材が庫内側に辿り着くまでの障害の数が増えることになり、発泡断熱材が庫内側まで漏れ出すことをより効率的に防ぐことができる。
【００１５】
請求項５に記載の発明は、請求項１から４のいずれか一項に記載の発明において、前記仕切壁は、前記断熱箱体内を上下方向の複数の部屋に区画するものであり、前記第二の空間を、前記第一の空間の上下両方に設けたものであり、第一の空間から漏れ出した発泡断熱材が仕切壁に対して上下どちらの空間に流れた場合においても、発泡断熱材が庫内側まで漏れ出すことを防ぐことができる。
【００１６】
請求項６に記載の発明は、請求項１から５のいずれか一項に記載の発明において、前記仕切壁を、分割したものを組み合わせて構成したものであり、仕切壁に断熱効果のために厚みを設ける場合、上下２部品に分割された仕切壁内に別部品である断熱部材を配置することが可能となり、また、庫内温度の調整のために取り付けるヒーター部材を取り付ける場合においても、仕切壁内に容易に取り付けることが可能となる。また、１部品で構成した場合よりも金型成形が容易となり、コストの抑制を図ることができる。
【００１７】
請求項７に記載の発明は、請求項１から６のいずれか一項に記載の発明において、前記第一の空間を、前記仕切壁内の略全空間に連通して構成し、前記発泡断熱材の一部を充填するものであり、仕切壁の断熱効果を向上させることができる。
【００１８】
請求項８に記載の発明は、請求項１から７のいずれか一項に記載の発明において、前記第一の空間が凸部を備え、前記凸部を前記第一の空間と接する内箱に設けられた開口部に挿入して配置したものであり、発泡断熱材を充填させる際に筒状の凸部から仕切壁内に発泡断熱材が流れ易くなるため、仕切壁内に発泡断熱材を確実に充填することができる。また、発泡断熱材を充填させる仕切壁と内箱との取り付け部の空間に、仕切壁側からと内箱側から両方から発泡断熱材が流れてくるため、仕切壁と内箱との取り付け部の空間に流入する発泡断熱材が隙なく確実に充填されることになり、仕切壁周縁の冷気漏れを確実に防止することができる。
【００１９】
以下、本発明の実施の形態について、図面を参照しながら説明する。なお、この実施の形態によってこの発明が限定されるものではない。
【００２０】
（実施の形態１）
図１は本発明の実施の形態１における冷蔵庫を左右に切断して左側の切断面を右から見た場合の縦断面図、図２は同実施の形態の冷蔵庫における仕切壁を内箱に取り付けた状態の斜視図、図３は同実施の形態の冷蔵庫における仕切壁の右端部近傍を示す要部拡大断面図である。
【００２１】
図１から図３において、冷蔵庫本体には温度帯の異なる貯蔵室があり、冷蔵室、野菜室、冷凍室など所定の貯蔵温度に沿った貯蔵室を配置する。
【００２２】
具体的には、前面を開口した冷蔵庫の箱体１は、外箱２、内箱３、これら外箱２および内箱３の間に充填された発泡断熱材４から構成し、箱体１内を上下に区画する仕切壁５は、上部仕切板６と下部仕切板７とを組み合わせて構成している。そして、内箱３の両側面および背面に水平状に連続形成された断面略凹状の嵌合溝８に仕切壁５の周縁部を嵌合している。上記仕切壁５および仕切体９により箱体１の上部に冷蔵室１０、その下方に野菜室１１、最下部に冷凍室１２を形成している。
【００２３】
そして、仕切壁５の前方左右には第一の空間を形成した筒状の凸部５ａを有し、先端部を開口している。そして凸部５ａを内箱３に設けられた開口部（図示せず）に挿入して配置している。
【００２４】
また、仕切壁５の側面、背面には、さらに第一の空間を形成する凹部５ｂを備え、凸部５ａと凹部５ｂは、仕切壁５の側面、背面の略同一水平面に位置している。なお、凹部５ｂと対向した内箱３にはそれぞれ注入孔３ａを有している。
【００２５】
また、第一の空間を形成する凸部５ａおよび凹部５ｂを挟んで上方および下方には、さらに第二の空間８ａ，８ｂを有する。第二の空間８ａは、内箱３における仕切壁５を取り付ける部分と仕切壁５との間で、内箱３に一体に形成した凹部によって形成されたものであり、第二の空間８ｂは、仕切壁５に設けられた複数のリブ５ｃによって設けられたものである。なお、第二の空間を形成する凹部あるいはリブは、内箱３、仕切壁５のどちらに設けてもよい。
【００２６】
本実施の形態の冷蔵庫は、内箱３と外箱２との間に発泡断熱材４を充填してなり前面開口部を有する断熱箱体１と、内箱３に取り付けられ断熱箱体１内を複数の部屋に区画する仕切壁５とを備え、仕切壁５を内箱３に取り付けた状態において、内箱３における仕切壁５を取り付ける部分と仕切壁５との間に、内箱３と外箱２との間に充填された発泡断熱材４の一部が充填される第一の空間と、この第一の空間から漏れた発泡断熱材４を収容することにより庫内に発泡断熱材４が漏れるのを防止する第二の空間８ａ，８ｂとを形成したものであり、仕切壁５と内箱３との隙間に充填した発泡断熱材４が、内箱３における仕切壁５を取り付ける部分と仕切壁５との間の第一の空間から漏れ出そうとしても、第二の空間８ａ，８ｂが漏れ出す発泡断熱材４の量に対して十分な大きさの空間であれば、第一の空間から漏れ出した発泡断熱材４を第二の空間８ａ，８ｂで収容できるため、庫内側まで漏れ出すことを防ぐことができる。
【００２７】
また、第二の空間８ａ，８ｂは、それぞれ側面、背面に亘って連続して形成している。なお、連続して形成しない場合は、第一の空間を形成する凸部５ａおよび凹部５ｂに対応して部分的に形成してもよい。また、庫内側に向かって複数の空間を形成してもよい。
【００２８】
なお、第一の空間を形成した筒状の凸部５ａは仕切壁５内の略全空間に連通して形成し、発泡断熱材４の一部を充填してもよい。
【００２９】
上記構成において、発泡断熱材４を外箱２および内箱３の間に充填発泡することで、断熱箱体を形成する。この時、発泡断熱材４の一部は仕切壁５と内箱３との間に位置する注入孔３ａあるいは仕切壁５の前方左右には第一の空間を形成した筒状の凸部５ａを挿入した内箱３の開口部より、第一の空間を形成する凸部５ａおよび凹部５ｂに充填され、内箱３と接する仕切壁５の側面、背面とは強固に接着する。したがって、仕切壁５を内箱３に固着するための手段を簡素化することができる。
【００３０】
また、第一の空間に充填した発泡断熱材４の一部が第一の空間の隙間から漏れたとしても、漏れ出した発泡断熱材４が第二の空間８ａ，８ｂ内に収納され、従来のように庫内に漏れ出すことを防止でき、高品質な冷蔵庫を提供することができる。
【００３１】
また、第二の空間８ａ，８ｂは、内箱３に一体に形成した凹部あるいは仕切壁５に設けられた複数のリブ５ｃによって形成しているので、簡素な構造で第二の空間８ａ，８ｂを形成することができ、低コスト化を図ることができる。
【００３２】
また、第二の空間８ａ，８ｂは、それぞれ側面、背面に亘って連続して形成することで、第二の空間８ａ，８ｂの容積を大きく設定することができ、より確実に庫内への漏れを防止することができる。
【００３３】
また、第二の空間８ａ，８ｂは、第一の空間に対応して複数形成した場合は、漏れ出した発泡断熱材４が庫内側に辿り着くまでの障害の数が増えることになり、発泡断熱材４が庫内側まで漏れ出すことをより効率的に防ぐことができる。
【００３４】
本実施の形態の冷蔵庫は、第二の空間８ａ，８ｂを、第一の空間から漏れた発泡断熱材４が庫内に漏れる方向に複数形成したものであり、第一の空間に充填した発泡断熱材４が漏れ出した際に、漏れ出した発泡断熱材４が庫内側に辿り着くまでの障害の数が増えることになり、発泡断熱材４が庫内側まで漏れ出すことをより効率的に防ぐことができる。
【００３５】
また、第二の空間８ａ，８ｂは、第一の空間５ａ、５ｂを挟んで上方および下方に形成しているので、漏れ出した発泡断熱材４が仕切壁５に対して上下どちらの空間に流れた場合においても、発泡断熱材４が庫内側まで漏れ出すことを防止することができる。
【００３６】
本実施の形態の冷蔵庫は、第二の空間８ａ，８ｂを、第一の空間５ａ、５ｂの上下両方に設けたものであり、第一の空間から漏れ出した発泡断熱材４が仕切壁５に対して上下どちらの空間に流れた場合においても、発泡断熱材４が庫内側まで漏れ出すことを防ぐことができる。
【００３７】
また、仕切壁５は、上部仕切板６と下部仕切板７とを組み合わせて構成しているので、仕切壁に断熱効果のために厚みを設ける場合、上下２部品に分割された仕切壁５内に別部品である断熱部材を配置することが可能となり、また、庫内温度の調整のために取り付けるヒーター部材を取り付ける場合においても、仕切壁５内に容易に取り付けることが可能となる。また、１部品で構成した場合よりも金型成形が容易となり、コストの抑制を図ることができる。
【００３８】
また、第一の空間を形成した筒状の凸部５ａは内箱３に設けられた開口部に挿入し、仕切壁５内の略全空間に連通して形成し、その空間内部に発泡断熱材４の一部を充填することで、仕切壁の断熱効果を向上させることができる。
【００３９】
また、仕切壁５の前方左右には第一の空間を形成した筒状の凸部５ａを内箱３に設けられた開口部に挿入し、先端部を開口して発泡断熱材４の注入口としているので、発泡断熱材４を充填させる際に筒状の凸部５ａから仕切壁５内に発泡断熱材４が流れ易くなるため、仕切壁５内に発泡断熱材４を確実に充填することができる。また、発泡断熱材４を充填させる、内箱３における仕切壁５を取り付ける部分と仕切壁５との間の空間に、仕切壁５側からと、内箱３側から両方から発泡断熱材４が流れてくるため、内箱３における仕切壁５を取り付ける部分と仕切壁５との間の空間に流入する発泡断熱材４が隙なく確実に充填されることになり、仕切壁５周縁の冷気漏れを確実に防止することができる。
【産業上の利用可能性】
【００４０】
以上のように、本発明にかかる冷蔵庫は、冷蔵庫の仕切壁に係り、特に仕切壁と内箱の間に設けられた空洞の空間の構成に関するものであり、冷蔵庫以外の冷蔵及び冷凍機能を持つ仕切壁を有する貯蔵庫等の用途にも適用できる。
【図面の簡単な説明】
【００４１】
【図１】本発明の実施の形態１における冷蔵庫を左右に切断した場合の縦断面図
【図２】同実施の形態の冷蔵庫における仕切壁を内箱に取り付けた状態の斜視図
【図３】同実施の形態の冷蔵庫における仕切壁の右端部近傍を示す要部拡大断面図
【図４】従来の冷蔵庫における仕切壁の右端部近傍を示す要部拡大断面図
【符号の説明】
【００４２】
１    冷蔵庫の箱体
２    外箱
３    内箱
３ａ  注入孔
４    発泡断熱材
５    仕切壁
５ａ  筒状の凸部（第一の空間）
５ｂ  凹部（第一の空間）
６    上部仕切板
７    下部仕切板
８ａ，８ｂ  第二の空間
【図２】
2009115368.tif 000003
【図３】
2009115368.tif 000004
【図４】
2009115368.tif 000005
【図１】
2009115368.tif 000006